(57)【要約】【課題】簡素な手段によって、冷たい水の出る時間を短縮し、早い段階からお湯を利用側で利用することができる貯湯式給湯システムを提供する。【解決手段】給湯機４の貯湯タンク４ａと利用側Ａ，Ｂ，Ｃとをつなぐ給湯管７の途中に連絡管１６が接続されると共に、この連絡管１６が前記貯湯タンク４ａと接続されることで、貯湯タンク４ａから連絡管接続部１９までの給湯管７の部分と連絡管１６とで循環管部２１が形成されている。そして、連絡管１６に弁１７が設けられ、利用側の給湯栓１５を閉じた状態でこの弁１７を開き、循環管部２１に介設されたポンプ１８を駆動することで、貯湯タンク４ａのお湯が循環管部２１内を循環するようになされている。【選択図】　　　図１
2004116976.tif 000002
【特許請求の範囲】
【請求項１】
給湯機の貯湯タンクと利用側給湯栓とをつなぐ給湯管の途中に連絡管が接続されると共に、この連絡管が前記貯湯タンクと接続されることで、貯湯タンクから連絡管接続部までの給湯管部と、連絡管とで循環管部が形成され、かつ、
前記連絡管に弁が設けられ、利用側の給湯栓を閉じた状態でこの弁を開き、循環管部に介設されたポンプを駆動することで、貯湯タンクのお湯が前記循環管部内を循環するようになされていることを特徴とする貯湯式給湯システム。
【請求項２】
前記ポンプが、貯湯タンクのお湯を利用側に送るポンプからなる請求項１に記載の貯湯式給湯システム。
【発明の詳細な説明】
【０００１】
【発明の属する技術分野】
本発明は、貯湯式給湯システムに関する。
【０００２】
【従来の技術及び課題】
貯湯式給湯システムにおいて、利用側で給湯栓を開くと、当初は冷たい水が出てきてしまい、しばらくしてからようやくお湯が出はじめ、給湯栓を開いた初期段階で水を無駄にしてしまうという問題がある。
【０００３】
本発明はかかる問題点に鑑み、簡素な手段の採用でこの問題を解決することができる貯湯式給湯システムを提供することを課題とする。
【０００４】
【課題を解決するための手段】
上記の課題は、給湯機の貯湯タンクと利用側給湯栓とをつなぐ給湯管の途中に連絡管が接続されると共に、この連絡管が前記貯湯タンクと接続されることで、貯湯タンクから連絡管接続部までの給湯管部と、連絡管とで循環管部が形成され、かつ、
前記連絡管に弁が設けられ、利用側の給湯栓を閉じた状態でこの弁を開き、循環管部に介設されたポンプを駆動することで、貯湯タンクのお湯が前記循環管部内を循環するようになされていることを特徴とする貯湯式給湯システムによって解決される。
【０００５】
このシステムでは、循環管部で貯湯タンクのお湯を循環させることにより、貯湯タンクから連絡管接続部までの給湯管部内にお湯が供給される。従って、その状態で利用側の給湯栓を開くと、連絡管接続部から利用側給湯栓までの給湯管部内の水しか利用側には出てこず、冷たい水の出る時間が短縮されて早い段階からお湯を利用側で利用することができる。連絡管接続部を利用側給湯栓に近づければ近づけるほど冷たい水の出る時間を短縮することができる。
【０００６】
しかも、弁の備えられた連絡管で給湯管の途中位置と貯湯タンクとを連絡することによってそれを実現するものであるから、簡素な手段で、早い段階からお湯を利用側で利用することができる。
【０００７】
特に、前記ポンプが、貯湯タンクのお湯を利用側に送るポンプからなる場合は、お湯の循環のための専用ポンプを備えさせる必要もなく、非常に簡素な手段で、早い段階からお湯を利用側に供給することができる。
【０００８】
【発明の実施の形態】
まず、本発明が適用される貯湯式給湯システムを図１に基づいて説明する。この貯湯式給湯システムは、単身者用集合住宅においてＡ，Ｂ，Ｃの３世帯を１単位としたシステムに構成されており、Ａ，Ｂ，Ｃの各世帯にはそれぞれ、キッチン１１、洗面所・浴槽１２が備えられ、それぞれの場所に給湯栓１５が備えられ、お湯を利用できるようになっている。
【０００９】
このシステムには、１機のＣＯ２ヒートポンプ給湯機１が備えられている。このＣＯ２ヒートポンプ給湯機１において、２はヒートポンプユニットであり、３は貯湯タンクである。ＣＯ２ヒートポンプ給湯機１は、単身者用の集合住宅において、１機で２世帯をまかなう能力はあるが、１機で３世帯をまかなうには能力的に不足のあるものである。そのため、本システムでは、上記の３世帯Ａ，Ｂ，Ｃをまかなうために、もう１機のＣＯ２ヒートポンプ給湯機を備えさせることをせず、電気温水器４を備えさせている。
【００１０】
この電気温水器４は、そのタンク４ａがＣＯ２ヒートポンプ給湯機１の貯湯タンクユニット３と配管６を介して接続され、ＣＯ２ヒートポンプ給湯機１の貯湯タンクユニット３からのお湯が配管６を通じて電気温水器４のタンク４ａに送り込まれるようになされている。なお、ＣＯ２ヒートポンプ給湯機１から電気温水器４に送り込まれるお湯の温度は、電気温水器４での沸き上げ温度よりも低く設定されているとよい。
【００１１】
そして、電気温水器４と利用側Ａ，Ｂ，Ｃをつなぐ給湯管７の幹管７ａには温度調節用のミキシングバルブ８が介設されると共に、このミキシングバルブ８に、ＣＯ２ヒートポンプ給湯機１への給水管５からの分岐管５ａが接続され、利用側Ａ，Ｂ，Ｃに、電気温水器４による沸き上げ設定温度よりも低い所定の一定温度のお湯が送られるようになされている。
【００１２】
即ち、この温度調節用のミキシングバルブ８は、このミキシングバルブ８から利用側Ａ，Ｂ，Ｃへ送られるお湯の温度を、給水管５ａからの水を利用して、電気温水器４からミキシングバルブ８へ送られるお湯の温度の変化にかかわらず、一定に保つように、自動で温度調節を行うものである。
【００１３】
この貯湯式給湯システムにおいて、電気温水器４の貯湯タンク４ａと利用側給湯栓１５…とをつなぐ給湯管７の幹管部７ａの途中位置１９に連絡管１６が接続されると共に、この連絡管１６が貯湯タンク４ａに接続され、それによって、貯湯タンク４ａから連絡管接続部１９までの給湯幹管部分と連絡管１６とで循環管部２１が形成されている。そして、連絡管１６に弁１７が設けられ、利用側の給湯栓１５…を閉じた状態でこの弁１７を開き、循環管部２１の給湯幹管部７ａに介設されているポンプ１８を駆動することで、貯湯タンク４ａ内のお湯が前記循環管部２１内を、図面矢印で示すように、循環するようになされている。ポンプ１８が、貯湯タンク４ａのお湯を利用側Ａ，Ｂ，Ｃに送るポンプである場合には、お湯の循環のための専用ポンプを備えさせる必要をなくすことができるが、循環専用ポンプを連絡管１６などに介設するようにしてもよい。
【００１４】
このシステムでは、循環管部２１で貯湯タンク４ａのお湯を循環させることにより、貯湯タンク４ａから連絡管接続部１９までの給湯幹管部７ａ内にお湯が供給される。従って、その状態で利用側の給湯栓１５を開くと、連絡管接続部１９から利用側給湯栓１５までの給湯管部内の水しか利用側Ａ，Ｂ，Ｃには出てこず、冷たい水の出る時間が短縮されて早い段階からお湯を利用側で利用することができる。連絡管接続部１９を利用側給湯栓１５に近づければ近づけるほど、その給湯栓１５から冷たい水の出る時間を短縮することができる。
【００１５】
しかも、弁１７の備えられた連絡管１６を用い、給湯幹管７ａの途中位置１９と貯湯タンク４ａとを連絡することによってそれを実現するものであるから、簡素な手段で、早い段階からお湯を利用側Ａ，Ｂ，Ｃで利用することができる。
【００１６】
循環のための行われるポンプ１８と弁１７の駆動は、タイマーなどによって行われるようにしてもよいし、マニュアルによるスイッチ操作で行われるようにしてもよい。
【００１７】
以上に、本発明の実施形態を示したが、本発明はこれに限られるものではなく、発明思想を逸脱しない範囲で、各種の変更が可能である。例えば、上記の実施形態では、ＣＯ２ヒートポンプ給湯機１と電気温水器４とを組み合わせた貯湯式給湯システムに適用した場合を示しているが、本発明は、電気温水器のみを用いた貯湯式給湯システムに用いることもできるし、ＣＯ２ヒートポンプ給湯機１のみを用いた貯湯式給湯システムに用いることもできるし、これら貯湯式給湯システムに限らず、各種貯湯式給湯システムに広く用いることができるものであることはいうまでもない。また、上記の実施形態では、一つの貯湯式給湯システムで複数世帯での給湯をまかなう構成としているが、一つの貯湯式給湯システムで一世帯をまかなう構成としてもよく、その場合には、給湯管への連絡管の接続位置を利用側により一層近づけることができて、利用側の給湯栓から冷たい水の出る時間をより短くすることができる。
【００１８】
【発明の効果】
本発明は、以上のとおりのものであるから、簡素な手段によって、冷たい水の出る時間を短縮し、早い段階からお湯を利用側で利用することができる。
【図面の簡単な説明】
【図１】実施形態を示すもので、貯湯式給湯システムの構成図である。
【符号の説明】
４…電気温水器（給湯機）
４ａ…給湯タンク
７…給湯管
１５…給湯栓
１６…連絡管
１７…弁
１８…ポンプ
１９…連絡管接続部
２１…循環管部
【図１】
2004116976.tif 000003